【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
ワイヤレスデバイス上で通信リンクを有効化する方法であって、
前記ワイヤレスデバイスと、外部構造物内に位置決めされた前記ワイヤレスデバイスに関連付けられた前記外部構造物との間の接続を判定するステップであって、前記外部構造物は物理的ボタンを備え、前記接続を判定するステップは、前記外部構造物との物理的接続を検出するステップまたは前記外部構造物からの短距離信号通信を受信するステップを備える、判定するステップと、
前記接続を検出したことに応答してグループ通信モードをアクティベートするステップであって、
前記外部構造物から識別子を受信するステップと、
前記識別子に基づき前記外部構造物のタイプおよび特徴的機能セットを決定するステップと、
前記決定されたタイプおよび特徴的機能セットのうちの少なくとも1つに基づき前記ワイヤレスデバイス上のモードをアクティベートするステップと、
前記ワイヤレスデバイス上でグループ通信アプリケーションを実行するステップとを含む、アクティベートするステップとを含み、
前記グループ通信モードは、前記ワイヤレスデバイスのユーザが前記ワイヤレスデバイスからグループ内の1つまたは複数の受信デバイスに同時に送信することを可能にする、方法。
【請求項２】
前記外部構造物からの前記ワイヤレスデバイスの接続切断を検出したことに応答して前記グループ通信モードをデアクティベートするステップをさらに含む請求項1に記載の方法。
【請求項３】
前記外部構造物上の前記物理的ボタンの押下に応答して、前記ワイヤレスデバイスで前記外部構造物からのキープレスコードを受信するステップと、
前記外部構造物から受信された前記キープレスコードをプッシュトゥトークアクティベーションイベントとして解釈するステップと、
前記キープレスコードを受信したことに応答してプッシュトゥトーク送信をアクティベートするステップとをさらに含む請求項1に記載の方法。
【請求項４】
前記ワイヤレスデバイス上のモードをアクティベートするステップは、前記ワイヤレスデバイス上で、前記特徴的機能セットの1つまたは複数の特徴的機能を有効化するステップを含み、前記特徴的機能は、グループ通信に関連付けられている1つまたは複数のデータプリセットを含む請求項1に記載の方法。
【請求項５】
前記識別子は、前記ワイヤレスデバイスに対して前記外部構造物を認証する資格証明書である請求項1に記載の方法。
【請求項６】
前記識別子は、前記ワイヤレスデバイス上のスマートフォン特有のコネクタポートを例とした前記ワイヤレスデバイスと前記外部構造物との間の前記物理的接続によって受信されるか、または、前記識別子は、前記外部構造物から前記ワイヤレスデバイスに前記短距離信号通信で受信され、前記短距離信号通信は、Bluetooth(登録商標)信号および近距離場通信のうちの一つである請求項1に記載の方法。
【請求項７】
通信グループ通信モードをアクティベートするステップは、
前記外部構造物によってサポートされている1つまたは複数のグループ通信能力を有効化するステップであって、
前記ワイヤレスデバイスがグループ通信を受け取ったときに前記ワイヤレスデバイスのディスプレイ画面を無効化するステップ、前記外部構造物上のスピーカーを有効化するステップ、および1つまたは複数のグループ通信能力を有効化するステップは、前記外部構造物上の遠距離場マイクロフォンをアクティベートするステップのうちのいずれかを備える、有効化するステップを含む請求項1に記載の方法。
【請求項８】
前記外部構造物は、前記ワイヤレスデバイスにおいて複数のモードを実装するように構成され、前記複数のモードの各々は、前記ワイヤレスデバイス上で前記特徴的機能セットの異なるサブセットを有効化することに関連付けられる請求項1に記載の方法。
【請求項９】
前記外部構造物はスイッチを備え、前記方法は前記スイッチの位置に基づき前記複数のモードのうちの1つを実装するステップをさらに含む請求項8に記載の方法。
【請求項１０】
前記特徴的機能セットは、複数の特徴的機能セットを含み、前記複数の特徴的機能セットの各々はグループ通信を最適化するステップおよび着信通信に対してユーザ存在状態を設定するステップのうちの一方に関係する請求項1に記載の方法。
【請求項１１】
前記外部構造物は、複数のスイッチを備え、前記複数のスイッチの各々は、前記複数の特徴的機能セットのうちの1つに関連付けられ、
前記外部構造物は、前記ワイヤレスデバイスにおいて複数のモードを実装するように構成され、前記複数のモードの各々は、前記ワイヤレスデバイス上で前記複数の特徴的機能セットのうちの1つの異なるサブセットを有効化することに関連付けられ、
前記方法は前記複数のスイッチのうちの1つの位置に基づき前記複数のモードのうちの1つを実装するステップをさらに含む請求項10に記載の方法。
【請求項１２】
前記複数のモードのうちの1つは受信のみモードであり、前記受信のみモードは、
前記ワイヤレスデバイスでトークスパートを受信するための能力を有効化するステップと、
前記ワイヤレスデバイス上でスピーカーをアクティベートするステップと、
グループ通信を開始するための能力を無効化するステップとに関連付けられるか、または、
前記複数のモードのうちの1つはアラートのみモードであり、前記アラートのみモードは、
前記ワイヤレスデバイスでグループ通信アラートを受信するための能力を有効化するステップと、
トークスパートを受信するための能力を無効化するステップと、
グループ通信を開始するための能力を無効化するステップとに関連付けられるか、または、
前記複数のモードのうちの1つはオフラインモードであり、前記オフラインモードは、すべてのグループ通信能力を無効化するステップに関連付けられるか、または、
前記複数のモードのうちの1つはプッシュトゥトークモードであり、前記プッシュトゥトークモードは、
プッシュトゥトーク通信を受信するための能力を有効化するステップと、
プッシュトゥトーク通信を開始するための能力を有効化するステップとに関連付けられるか、または、
前記複数のモードのうちの1つは完全アクティビティモードであり、前記完全アクティビティモードは、前記外部構造物によってサポートされているすべてのグループ通信能力を有効化するステップを含む請求項8に記載の方法。
【請求項１３】
前記グループ通信モードが前記ワイヤレスデバイス上で有効化されているかどうかを判定するステップと、
前記グループ通信モードが前記ワイヤレスデバイス上で有効化されている場合にトークスパートを受信するステップと、
前記グループ通信モードが前記ワイヤレスデバイス上で有効化されていない場合にグループ通信試行から記録された音声を含むボイスノートを受信するステップと、
前記ワイヤレスデバイスが前記グループ通信モードに入っていないと判定されたときに不完全な呼通知をグループ通信試行の送信側に送信するステップとをさらに含む請求項1に記載の方法。
【請求項１４】
ワイヤレスデバイスであって、
ワイヤレスデバイスと、外部構造物内に位置決めされたワイヤレスデバイスに関連付けられた前記外部構造物との間の接続を検出するための手段であって、前記外部構造物は前記ワイヤレスデバイスを受け入れるように構成され、1つまたは複数の物理的ボタンを備える、手段と、
前記接続を検出したことに応答してグループ通信モードをアクティベートするための手段であって、前記グループ通信モードをアクティベートするための前記手段は、
識別子を前記外部構造物から受信するための手段と、
前記識別子に基づき前記外部構造物のタイプおよび特徴的機能セットを決定するための手段と、
前記決定されたタイプおよび特徴的機能セットのうちの少なくとも1つに基づき前記ワイヤレスデバイス上のモードをアクティベートするための手段と、
前記ワイヤレスデバイス上でグループ通信アプリケーションを実行するための手段とを備える、アクティベートするための手段とを備え、
前記グループ通信モードは、前記ワイヤレスデバイスのユーザが前記ワイヤレスデバイスからグループ内の1つまたは複数の受信デバイスに同時に送信することを可能にする、ワイヤレスデバイス。
【請求項１５】
プロセッサ実行可能命令を格納した非一時的コンピュータ可読記憶媒体であって、前記プロセッサ実行可能命令はワイヤレスデバイスのプロセッサに請求項1〜13のいずれか一項に記載の方法を実行させる、非一時的コンピュータ可読記憶媒体。